(57)【要約】【課題】簡単な方法により電荷を発生させ、発生した電荷をエアゾール組成物に帯電させ、その帯電させたエアゾール組成物を噴射することができるエアゾール製品を提供する。【解決手段】有底筒状の耐圧性の容器本体２と、その容器本体２の上部開口部に固着されたエアゾールバルブ３と、そのバルブに取り付けられた噴射部材４と、そのバルブ３と噴射部材４を覆い電荷保持部位１０を備えているキャップ５とを有し、噴射部材４は、前記エアゾールバルブ３に装着され、噴射孔１２と噴射孔１２およびエアゾールバルブ３を連通する噴射通路９とを備え、電荷保持部１０は電荷を発生させ、発生した電荷を蓄積することができ、その電荷保持部１０は噴射孔１２と通電可能であり、蓄積した電荷を噴射されるエアゾール組成物に帯電させることができるエアゾール製品１。【選択図】　図１
2004051200.tif 000002
【特許請求の範囲】
【請求項１】
容器本体とその容器本体開口部に固着されるエアゾールバルブとからなるエアゾール容器と、
そのエアゾール容器内部に充填されるエアゾール組成物と、
前記エアゾールバルブに装着され、噴射孔と、その噴射孔とエアゾールバルブとを連通する噴射通路とを備えている噴射部材と、
電荷を発生させ、発生した電荷を蓄積することができる電荷保持部とから構成されており、
前記電荷保持部は前記噴射部材の噴射孔および／または噴射通路と、前記電荷保持部に蓄積した電荷を噴射されるエアゾール組成物に帯電させることができるように通電可能に構成されているエアゾール製品。
【請求項２】
前記電荷保持部が接触帯電、摩擦帯電、剥離帯電または衝突帯電のいずれかで電荷を発生させる手段を備えている請求項１記載のエアゾール製品。
【請求項３】
前記電荷保持部が、粉末と、粉末を収容する空洞部とを備えており、その空洞部内で前記粉末同士および／または粉末と空洞部の内部表面が接触、摩擦または衝突することにより粉末が帯電するものである請求項１記載のエアゾール製品。
【請求項４】
前記電荷保持部が、内部表面が導電性部材および非導電性部材で覆われた空洞部と、その空洞部内に収容された粉末とからなる請求項１記載のエアゾール製品。
【請求項５】
前記電荷保持部が噴射通路の少なくとも外周面の一部と接触しながらその外周面を移動することができる移動部材を備えている請求項１記載のエアゾール製品。
【請求項６】
前記電荷保持部の外表面が非導電性部材で構成されている請求項１記載のエアゾール製品。
【発明の詳細な説明】
【０００１】
【発明の属する技術分野】
本発明はエアゾール製品に関する。さらに詳しくは、製品を振るなどにより電荷を発生させ、発生させた電荷と共にエアゾール組成物を噴射することができるエアゾール製品に関する。
【０００２】
【従来の技術】
一般にエアゾール製品は、原液と噴射剤からなるエアゾール組成物をエアゾール容器に充填しており、スプレータイプの製品の場合は、噴射剤（液化ガス）の気化による体積膨張により、原液を細かい霧状にして対象物に対して均等に、かつ広い範囲に噴射することができる。その用途はヘアスプレーやトリートメントスプレーなどの頭髪用製品、消炎鎮痛剤スプレーや殺菌消毒スプレーなどの皮膚用製品、殺虫スプレーや消臭スプレーなどの空間用製品、ダストブローやペイント、潤滑スプレーなどの家庭・工業・自動車用製品等と種々に及んでいる。
【０００３】
一方、近年、空気イオン、イオン水など、電気を帯びた流動体に注目が集まっており、それらに関するさまざまな商品が生産されている。
【０００４】
空気イオンとは、気体内のプラスまたはマイナスに帯電した微粒子（酸素分子など）のことをいい、正に帯電しているものをプラスイオン、負に帯電しているものをマイナスイオンという。一般的な発生原理としては、遊離電子が空気中に放出されて、これが他の気体分子と衝突し付着して発生する。これらの原理を用いたプラスイオンの発生方法には電気的な発生方法であるコロナ放電が知られている。また、マイナスイオンの発生方法には、レナード効果による発生、微量放射線による発生、電気的な発生（コロナ放電）があり、さらに、トルマリンを擦る、熱を加えるなど外部からエネルギーを加えて発生させる方法が知られている。
【０００５】
これらの空気イオンは除帯電、除粉塵、抗菌などの効果を目的に、エアコン、空気清浄機などの製品に用いられ生産販売されている。さらに、マイナスイオンの生体に対する効果として、特に疲労回復（乳酸中和）、リラックス効果、様々な病気の症状を軽減したり、治癒したりする効果などが認められており、様々な商品として期待されている。
【０００６】
また、イオン水はアルカリイオン水と酸性イオン水に分けられ、一般的に水の電気分解により生成されている。そして、アルカリイオン水は健康に良い飲料水として、酸性イオン水は消毒水、化粧水などとしてそれぞれ用いられており、広く家庭などに普及している。
【０００７】
【発明が解決しようとする課題】
しかしながら、前記イオンによる効果を得るためにはイオンを発生させる特殊な装置が必要となる。またエアゾール製品の場合、ロングチューブなどの狭い通路にエアゾール組成物を勢いよく流通させるとエアゾール組成物は電荷を帯びるが（特許番号２６２８２７４号参照）、帯電する電荷量は少なく、前述した空気イオンあるいはイオン水の効果はあまり得ることができない。
【０００８】
本発明は、簡単な方法により電荷を発生させ、発生した電荷と共にエアゾール組成物を噴射することができるエアゾール製品を提供することを技術課題としている。
【０００９】
【課題を解決するための手段】
本発明のエアゾール製品は、容器本体とその容器本体開口部に固着されるエアゾールバルブとからなるエアゾール容器と、そのエアゾール容器内部に充填されるエアゾール組成物と、前記エアゾールバルブに装着され、噴射孔と、その噴射孔とエアゾールバルブとを連通する噴射通路とを備えている噴射部材と、電荷を発生させ、発生した電荷を蓄積することができる電荷保持部とから構成されており、前記電荷保持部は前記噴射部材の噴射孔および／または噴射通路と、前記電荷保持部に蓄積した電荷を噴射されるエアゾール組成物に帯電させることができるように通電可能に構成されていることを特徴としている（請求項１）。また、このようなエアゾール製品は、前記電荷保持部が接触帯電、摩擦帯電、剥離帯電または衝突帯電のいずれかで電荷を発生させる手段を備えているものが好ましい（請求項２）。さらに、前記電荷保持部が、粉末と、粉末を収容する空洞部とを備えており、その空洞部内で前記粉末同士および／または粉末と空洞部の内部表面が接触、摩擦または衝突することにより粉末が帯電するものであることが好ましい（請求項３）。さらに、前記電荷保持部が、内部表面が導電性部材および非導電性部材で覆われた空洞部と、その空洞部内に収容された粉末とからなるものが好ましく（請求項４）、噴射通路の少なくとも外周面の一部と接触しながらその外周面を移動することができる移動部材を備えているものが好ましい（請求項５）。また、前記電荷保持部の外表面が非導電性部材で構成されているものが好ましい。
【００１０】
【作用および発明の効果】
本発明のエアゾール製品（請求項１）は、電荷を発生させ、発生した電荷を蓄積できる電荷保持部を備えているため、発生した電荷は外部に放出されず、電荷を多く蓄積することができる。
【００１１】
また電荷保持部と噴射孔および／または噴射通路とが通電可能であるため、エアゾール組成物を噴射するときに噴射孔または噴射通路を流れるエアゾール組成物は前記蓄積されている電荷が付与されやすくなり、その結果、噴射孔から噴射されるエアゾール組成物の電荷量は多くなり、空気イオンまたはイオン水等電気を帯びた流動体の効果が得られやすくなる。また、電荷を発生させる手段が接触帯電、摩擦帯電、剥離帯電、衝突帯電のいずれかである場合には簡単な構成または方法により電荷を発生させることができる（請求項２）。
【００１２】
前記電荷保持部が、粉末と、粉末を収容する空洞部とを備えている場合には（請求項３）、その空洞部内で前記粉末同士および粉末と空洞部内面とが接触、摩擦、あるいは衝突することにより粉末が帯電し、それによって発生した電荷が粉末および空洞部内表面に蓄積される。つまり、エアゾール製品を振るなどの簡単な操作により電荷を発生させることができる。また前記電荷保持部が、内部表面が導電性部材および非導電性部材で覆われている空洞部を有し、空洞部には粉末が収められている場合は（請求項４）、帯電した粉末は導電性部材に電気的に引き寄せられて付着するが、電荷を放出すると導電性部材から離れて非導電性部材に蓄積するため、電荷保持部の本体を内部を透かして見えるもので構成すると、目視にて電荷を保持しているか否かがわかる。
【００１３】
電荷保持部が噴射通路の少なくとも外周面の一部と接触しながら外周面を移動する移動部材を備えている場合は（請求項５）、その移動部材が外周面を移動することにより摩擦が生じ、外周面および移動部材は帯電する。つまり、エアゾール製品を振るなど、使用前に行う簡単な行為により電荷を帯電させることができる。また、噴射通路の外周面に蓄積できるため、エアゾール組成物に電荷を付与しやすい。
【００１４】
電荷保持部の外表面が非導電性部材で構成されている場合には（請求項６）、噴射部材を操作するときなど、操作する指が電荷を蓄積している部位と接触するのを防止できるため、蓄積されている電荷が接触した指から人体に流れ、さらに人体から地面へと流れ、電荷が放出されてしまうことを防止できる。
【００１５】
【発明の実施の形態】
次に図面を参照しながら本発明のエアゾール製品の実施形態を説明する。図１ａは本発明のエアゾール製品の一実施形態を示す一部断面の側面図であり、図１ｂはその要部を拡大した断面側面図であり、図２ａは本発明のエアゾール製品の他の実施形態を示す一部断面の側面図であり、図２ｂはその要部の斜視図であり、図３ａは本発明のエアゾール製品のさらに他の実施形態を示す一部断面の側面図であり、図３ｂは本発明のエアゾール製品のさらに他の実施形態を示す要部の側面図であり、図４ａは本発明のエアゾール製品の他の実施形態を示す一部断面の側面図であり、図４ｂはその要部の傾斜図であり、図５は本発明のエアゾール製品の他の実施形態を示す一部断面の側面図であり、図６は本発明のエアゾール製品の他の実施形態を示す一部断面の側面図であり、図７ａは本発明のエアゾール製品の他の実施形態を示す一部断面の側面図であり、図７ｂはその平面図であり、図７ｃはその要部の背面図であり、図８は本発明のエアゾール製品の他の実施形態を示す一部断面の側面図であり、図９は本発明のエアゾール製品に用いられるエアゾールバルブの一例の一部断面の側面図である。
【００１６】
図１ａに示すエアゾール製品１は、有底筒状の耐圧性の容器本体２と、その容器本体２の上部開口部に固着されたエアゾールバルブ３（以下、単にバルブという）と、そのバルブ３に取り付けられた噴射部材４と、そのバルブ３と噴射部材４を覆い電荷保持部１０を備えているキャップ５とを有する。
【００１７】
容器本体２は従来公知のものであり、アルミニウムやブリキなどの金属板をたとえば有底筒状に絞りしごき加工して胴部６を成形し、その上部にネッキング加工などで肩部７および首部を形成し、首部の上端にカーリング加工でビード８を形成している。なおポリエチレンテレフタレートなどの合成樹脂やガラスなど、他の材質のものも採用することができる。
【００１８】
前記バルブ３は例えば図９に示すように、容器本体のビード８にクリンプされるマウンティングカップＢと、そのマウンティングカップＢの中央に保持されるハウジングＣと、そのハウジングＣ内に上下動自在に収容されるステムＤと、そのステムＤを常時上向きに付勢するスプリングＥと、ハウジングＣの下端から容器本体底部に伸びているディップチューブＨとからなる従来公知のものである。
【００１９】
図１ａに戻って、前記噴射部材４は、噴射孔１２と、バルブ３のステムＤを挿入するステム挿入口１１と、さらに前記噴射孔１２とステム挿入口１１とを連通する噴射通路９とを備えた押しボタン状のものである。噴射部材４は、バルブ３のステムＤをステム挿入口１１に挿入することにより装着することができ、噴射部材４の上端を指で押し下げることによりステムＤが共動して下降し、バルブ３が開放される。このとき、エアゾール容器２内部に充填されているエアゾール組成物はディップチューブＨからハウジングＣ内部に導入され、さらにステムＤ、ステム挿入口１１、噴射通路９を通過して噴射孔１２から外部に噴射される。なお噴射孔１２および／または噴射通路９は、後述する電荷保持部１０に蓄積された電荷をエアゾール組成物が噴射されるときに噴射孔や噴射通路を通過するエアゾール組成物に帯電させやすくするために、アルミニウムやブリキ、鉄、ステンレス、銅などの金属からなり優れた導電性を有する導電性材料で形成することが好ましい。その場合、電荷保持部１０と噴射孔１２および／または噴射通路９とは互いに接して電気的に通じていることが好ましい。一方、噴射操作するときに蓄積された電荷が操作する指から人体へ、さらに人体から地面へと流れ放出されないために、噴射部材４本体をジュラコン、ナイロン、ポリエチレン、ポリエチレンテレフタレートなどの合成樹脂などの導電性の低い材料で構成したり、噴射部材の外表面をニトリルゴム、スチレンブタジエンゴム、クロロプレンゴム、ブチルゴム、シリコーンゴムなどのゴム、エラストマー、コルクなどの絶縁体で被覆することが好ましい。なお、この実施の形態では、噴射孔を有する金属製のチップ１２ａを噴射部材に装着しており、そのチップ１２ａと電荷保持部１０とが接触し通電可能となっている。
【００２０】
また、前記エアゾール容器に充填されるエアゾール組成物としては特に限定されないが、たとえば殺虫成分や害虫忌避成分、消臭成分、芳香成分、殺菌・消毒成分、洗浄成分、ペイント成分、防錆成分、潤滑成分などの空間やカーテン、ガラス、衣類、壁、機械類など、家庭や工業用で使用される有効成分や、制汗成分、殺菌・消毒成分、消炎鎮痛成分、鎮痒成分、保湿成分、害虫忌避成分、芳香成分などの皮膚に使用する有効成分、スタイリング成分、トリートメント成分、カラーリング成分、保湿成分、芳香成分などの頭髪に使用される有効成分などを配合した原液と、液化石油ガスやジメチルエーテルおよび前記液化石油ガスとジメチルエーテルの混合物からなる液化ガスや、チッ素ガス、炭酸ガス、亜酸化チッ素ガス、圧縮空気などの圧縮ガス、さらには前記液化ガスと圧縮ガスの混合物などの噴射剤とからなるものがあげられ、用途や目的などに応じて適宜選択される。なお、電荷保持部に蓄積された電荷を外部に噴射しやすく、電荷による効果が得られやすい点から霧状で噴射しうるエアゾール組成物が好ましい。
【００２１】
前記キャップ５は、容器本体のビード８にクリンプしたバルブ３の周縁に脱着自在に被せられる有底筒状のキャップ本体５ａと、キャップ本体に装着されキャップ本体との間に空洞部を形成するキャップ装着部１０ａと、さらに前記空洞部に収容される粉末１０ｂとからなる。
【００２２】
前記キャップ本体５ａは、前述の合成樹脂などの非導電性材料からなり、電荷保持部１０とエアゾール容器２との通電を遮断し、電荷保持部１０に蓄積されている電荷をエアゾール容器２へ、さらにエアゾール容器２を通じて人や地面などに放出されるのを防止する。
【００２３】
前記キャップ装着部１０ａは、図１ｂに示すように前述の金属などの導電性材料で構成されており、キャップ本体５ａに装着した状態で外部に露出する外表面１０ｃをシリコーンゴムや合成ゴムなどの絶縁体で被覆している。なおキャップ装着部１０ａは、キャップ本体５ａと同じ合成樹脂などの非導電性材料で形成し、空洞部内面１０ｄを金属などの導電体で被覆してもよい。
さらにキャップ装着部１０ａは、噴射部材に装着されているチップ１２ａと通電可能となるように導電性を有する舌片１３を備えており、その舌片１３はキャップ５をエアゾール容器２に装着しているときはチップ１２ａと接触して電荷保持部１０の電荷をチップ１２ａに付与することができる。
前記粉末１０ｂは、酢酸セルロース、テフロン（デュポン社の登録商標）、塩化ビニル、セロファン、セルロイド、ポリエチレン、ポリプロピレン、カーバイド、ポリスチレンなどのマイナスに帯電しやすい粉末や、アスベスト、ガラス、雲母、ナイロン、アクリルなどのプラスに帯電しやすい粉末、アルミニウム、鉄、銅、ニッケルなどの金属粉末などから、前記空洞部内面の材質を考慮し、帯電させたい電荷の種類に応じて適宜選択することができる。
【００２４】
本実施の形態では、前記粉末１０ｂを空洞部に収容したキャップ５をエアゾール容器２に装着した状態で振ることにより、粉末１０ｂ同士や粉末１０ｂと空洞部内面１０ｄとが接触あるいは衝突し、その接触あるいは衝突さらには摩擦により粉末１０ｂおよび空洞部内面１０ｄが帯電され、電荷保持部１０に電荷が蓄積される。これにより、キャップ５を装備しているときはエアゾール製品１を振ることにより電荷保持部１０に電荷を蓄積させると同時に電荷が静電誘導によって舌片１３を介して噴射孔１２を帯電させることができる。なお、キャップ５のみを振って電荷保持部１０を帯電させ、その後キャップ５をエアゾール容器２に被せて噴射孔１２を帯電させてもよい。
【００２５】
また本実施の形態では、空洞部内面１０ｄが導電性部材（キャップ装着部）と非導電性部材（キャップ本体）とからなるため、粉末の電荷がなくなると導電性部材に電気的に接着していた粉末が剥がれ落ちて非導電性部材に蓄積されるため、目視にて電荷の有無を確認することができる。
【００２６】
噴射孔１２に電荷を帯電させた後、キャップ５を外し、前述したように噴射部材４を押し下げると、エアゾール組成物は噴射通路９を通って帯電した噴射孔１２から噴射される。この噴射孔１２から噴射される霧状の噴射物は、噴射孔１２を通過するときにその帯電した噴射孔１２のチップ１２ａと接触し、噴射孔１２に蓄積された電荷が噴射物に付与され、噴射物が帯電することになる。そして、帯電した霧状の噴射物が噴射され、拡散される。帯電した霧状の噴出物はエアゾール組成物中に配合した有効成分による効果以外にも、衣類やカーテン、ガラス、機械類、頭髪、人体などの噴射対象面に対する除電効果、同電位に荷電された粒子同士の反発による拡散効果、衣類やカーテン、ガラス、機械類、頭髪、人体さらには害虫などの噴射対象物の電気的な特性を利用してエアゾール組成物（有効成分）を選択的に付着させるなどの効果を有する。なお、使用後は、電荷発生部１０および粉体１０ｂの電荷は、放置していても自然に放電されるが、例えば舌片１３を接地するなどにより積極的に放電させるようにしてもよい。また、電荷保持部１０を開閉自在にすることで、使用後に電荷保持部１０を開き、内部の粉末１０ｂを放電させてもよい。
【００２７】
図２ａに本発明のエアゾール製品の他の実施形態を示す。図２ａに示すエアゾール製品２０は、バルブに装着している噴射部材２１と、エアゾール容器のバルブ装着部分に係合しているカバー部材２２を備えている。噴射部材２１は前述した図１のエアゾール製品１と同様に噴射孔２３と、ステムＤを挿入させるステム挿入口２４と、噴射通路２５とを備えている。
【００２８】
前記カバー部材２２は、バルブ装着部分に係合する基部２６と、噴射部材２１の両側面を囲むように前記基部２６の両側面に設けられる側壁部２７と、側壁部２７の間に回動自在に設けられるカバー兼用の切替部２９からなる。前記側壁部２７には、図１ｂに示すものとほぼ同様の電荷を発生させ保持する電荷保持部２８が設けられている。そして前記切替部２９は、その電荷保持部２８と噴射部材２１の噴射孔２３との電気的なつながりの通電／遮断を操作するものである。
【００２９】
前記切替部２９は板状の本体２９ａと、その本体２９ａに突出する軸部２９ｂと、他端から左右に突出する係止部２９ｃとを備えている。前記側壁部２９の前端上部の内面には、切替部２９の軸部２９ｂを回動自在に支持する軸受け部２７ａが形成されており、後端上部には、係止部２９ｃを上向きに係止する係止段部２７ｂが設けられている。それにより切替部２９は、噴射部材２１の前面と当接する通電位置と、その位置から外向き、かつ、上向きに回動して噴射部材２１の上を覆う遮断位置との間で回動自在となる。さらに切替部２９の本体２９ａには、噴射孔２３の周囲と通電するように接触する部位２３ａを有し、かつ噴射部材２１の押し下げに伴って噴射孔２３から噴射される噴射物を遮らないように通す開口２３ｂが設けられている。開口２３ｂは、噴射部材２１の上下動に対応するように上下に長い。
【００３０】
前記切替部２９の本体２９ａおよび軸部２９ｂならびに側壁部２７の軸受け部２７ａは金属などの導電材料で一体に構成すると共に、軸受け部２７ａと電荷保持部２８とは導電性の材料で電気的に通じさせている。したがって切替部２９が図２ａの実線で示すように通電位置にある場合は、電荷保持部２８は切替部２９を介して噴射孔２３と通電可能になる。エアゾール製品を使用しないときは、破線で示すように切替部２９を遮断位置まで回動させる。それにより電荷保持部２８と噴射孔２３とは電気的接続されない。なおその場合は、切替部２９は噴射部材２１の上部を覆うので、噴射部材２１を押し下げ操作できないように保護することができる。
【００３１】
この実施の形態も前述の実施の形態と同様に、噴射操作させる前にまずエアゾール製品を振るなどにより電荷保持部２８で電荷を発生させて蓄積し、ついで切替部２９を通電位置にしてから噴射部材２１を操作する。このときエアゾール組成物はバルブのステムＤから噴射部材のステム挿入口２４、噴射通路２５を通り、噴射孔２３から噴射されるが、噴射孔２３を通過するときに電荷が付与されて、電荷と共に外部に噴射される。なお前記側壁部２７の係止段部２７ｂを容器本体と通電させるようにしても良い。その場合は切替部２９を上向きに回動させた遮断状態のときに、電荷保持部２８から残存する電荷を放電させることができる。また、切替部２９は全体を金属などの導電性材料にする必要がなく、全体を合成樹脂などの非導電性材料とし、必要な部位のみに通電層を設けるようにしてもよい。さらに、切替部２９の内部に電荷保持部２８を設けてもよい。その場合は軸部２９ｂを経由した側壁部２７との通電が不要になる。さらに切替部２９と側壁部２７の両方に電荷保持部２８を設けてもよい。また図２ａのエアゾール製品２０では噴射部材２１の側面（前面）に噴射孔２３を設けているが、上面に設けることもできる。その場合は切替部２９を噴射部材２１の上面側に回動させたときに噴射孔２３に当接させて通電状態とする。そして下向きに倒したときが遮断状態となる。
【００３２】
図３ａに本発明のエアゾール製品の他の実施形態を示す。図３ａに示すエアゾール製品３０は、バルブのステムＤに装着され電荷保持部３５を備えた噴射部材３４を有する。他の容器本体３２、バルブ３３等の構成は従来公知のものである。
【００３３】
噴射部材３４は、エアゾール製品１の電荷保持部１０と同様に内部に粉末を収納した電荷保持部３５と、噴射孔３６と、ステム挿入口３８と、噴射孔３６とステム挿入口３８とを連通する噴射通路３７とを有し、噴射部材本体は合成樹脂などの非導電性材料で構成されている。また、電荷保持部３５の天面３９はシリコーンゴム、合成ゴムやコルクなどの絶縁体で覆われている。この実施の形態では、エアゾール製品１と同様に製品を振るなどして粉末に電荷を発生させ、蓄積することができる。また、噴射通路３７の一部として金属チューブ３７ａを用いており、その金属チューブ３７ａは電荷保持部３５の導電性部材と接触しているため、電荷保持部３５と通電可能である。そのため、エアゾール組成物が金属チューブ３７ａを流れる際に、電荷保持部３５に蓄積されている電荷が付与され、エアゾール組成物と共に電荷を外部に噴射することができる。
また、上記エアゾール製品３０は、図３ｂに示すように金属チューブを長くしたノズル３７ｂを設けてもよい。これにより、エアゾール組成物と金属チューブの接触面積が大きくなり、より多くの電荷がエアゾール組成物に付与される。その場合、金属チューブの表面は、蓄積されている電荷が外部と接触することで放電されないように非導電部材で覆うことが好ましい。
【００３４】
図４に本発明のエアゾール製品の他の実施形態を示す。図４に示すエアゾール製品４０は、従来公知の容器本体４２と、ステムＤをステム挿入口４６ａに挿入すると共に容器本体肩部の二重巻き締め部に係合され電荷保持部４５を有する噴射部材４４とを有する。
【００３５】
前記電荷保持部４５は図４ｂの破線で示すように噴射部材４４の側面に設けられており、外部表面４５ａは絶縁体で覆われ、図１ａの電荷保持部１０と同様に中空で、空洞部４８には樹脂等の粉末４９が収納されている。
【００３６】
この噴射部材４４は、上面に配置される噴射孔４６と、下端に位置するステム挿入口４６ａと、その噴射孔４６とステム挿入口４６ａとを真っ直ぐに連通する噴射通路４６ｂと、前面の押部４７と、電荷保持部４５と繋がっている後面のヒンジ部４７ａとを有する。ステム挿入口４６ａはステムＤを挿入することで噴射部材４４とエアゾール容器とを係合している。これにより、エアゾール組成物はステムＤを通って、ステム挿入口４６ａ、噴射通路４６ｂ、そして噴射孔４６から噴射される。押部４７は矩形のブロックであり、表面は絶縁体で覆われている。この実施形態では電荷保持部４５はステム挿入口４６ａ、噴射通路４６ｂおよび噴射孔４６と同一の材料で構成されており、ヒンジ部４７ａを介して繋がっている。そのため、電荷保持部４５はステム挿入口４６ａから噴射通路４６ｂ、噴射孔４６まで電気的に通電している。これにより、押部４７を押し下げる噴射動作を行うとき、エアゾール組成物はステム挿入口４６ａから噴射通路４６ｂさらには噴射孔４６に至るまでいずれの部位でも電荷が付与され、図１のエアゾール製品１と同様の効果をもつことができる。
【００３７】
図５に本発明のエアゾール製品の他の実施形態を示す。図５に示すエアゾール製品５０の噴射部材５４は、電荷保持部として機能するノズル５１を有する。他の構成は図３のエアゾール製品３０と同様であり、従来公知の容器本体５２と、バルブ５３とを有し、ステムＤから噴射通路５５ａ、５５ｂを介して噴射孔５６に連通している。ノズル５１は、導電性材料からなるノズル本体５１ａ、その本体５１ａの外周面上を摺動自在に移動できる円筒状の移動部材５７と、その本体５１ａの中心に位置する噴射通路５５ｂと、前記移動部材５７をノズル５１内に係止する係止具５８と、噴射孔５６とからなる。そのため、円筒状の移動部材５７を激しく移動させることで、移動部材５７とノズル本体５１ａとの間で摩擦による帯電が起きる。さらに、ノズル５１に帯電された電荷は、噴射部材５４を押し下げることで、ノズル本体５１ａを介して、噴射通路５５ｂを流れるエアゾール組成物に付与することができる。移動部材５７の材料は特に限定されないが外表面を非導電性材料とすることが好ましい。これにより、帯電された電荷が他のものと接触して放電するような現象が起こらない。
【００３８】
図６に本発明のエアゾール製品の他の実施形態を示す。図６のエアゾール製品６０の噴射部材６１は、有底筒状の噴射部材本体６２と、電荷保持部６３とからなる。また、前述と同様にステムＤから噴射通路６５を介して噴射孔６４に通じており、さらに、容器本体、バルブ等は従来公知のものである。噴射部材本体６２は非導電性材料からなり、ヒンジ部６９を介して押部６９ａを備えている。押部６９ａの中心には噴射孔６４が位置し、押部６９ａを押し下げることで、ステムＤが押し下げられ、バルブが開放する。電荷保持部６３は、円筒状の本体６６と、その本体６６の中心に位置する噴射通路６５と、その本体の外周面上を上下に摺動自在に移動できる円筒状の移動部材６７と、移動部材６７を支える係止具６８とから構成される。この実施の形態も、図５のエアゾール製品５０と同様に移動部材６７を激しく移動させることで、移動部材６７と本体６６との間で摩擦による帯電が起きる。それにより、エアゾール製品６０を操作すると噴射通路６５を介してエアゾール組成物に電荷を付与することができる。なお、この実施の形態では本体の噴射孔６４近辺に合成ゴムやシリコーンゴムなどの絶縁体６２ａを装着しており、噴射部材本体６２とは電気的に完全に遮断している。
【００３９】
図７に本発明のエアゾール製品の他の実施形態を示す。図７のエアゾール製品７０の噴射部材７１は、本体７２と、その本体上部を軸に回動自在に設けられている電荷保持部７３と、その電荷保持部７３を収容できる収容部７３ａと、噴射孔７４と、その電荷保持部７３と噴射孔７４と通電させる導電性の橋７５とを備えた押しボタン状のものである。また、従来のエアゾール製品と同様にステムＤから噴射通路７６、７６ａを介して噴射孔７４に通じている。電荷保持部７３は帯電面７７を有しており、テフロン、塩化ビニル、セロファン、セルロイド、ポリエチレン、ポリスチレンなどの合成樹脂やアルミニウムや銅、鉄、ニッケルなどの金属またはエボナイトなどからなる。そのため、その帯電面７７を衣類（レーヨン、羊毛、木綿、絹、麻など）や紙、ガラス、皮膚、樹脂（アクリル、ナイロンなど）などの日常品で擦り、摩擦を生じさせることで電荷保持部７３を帯電させることができる。この実施の形態は、上記のように帯電面７７を帯電させることで、橋７５を介して噴射孔７４を帯電させることができる。それにより、図１のエアゾール製品１と同様に噴射されるエアゾール組成物に電荷を付与することができる。
【００４０】
図８に本発明のエアゾール製品の他の実施形態を示す。図８のエアゾール製品８０の噴射部材８１は、従来公知である押ボタン型の噴射部材本体８２と、電荷保持部８３とからなる。電荷保持部８３は、導電性のチップで形成された噴射孔８５と、その噴射孔８５と着脱自在な電荷発生部８６とからなる。電荷発生部８６の一端は鍵部８７であり、噴射部材本体８２と嵌合している。また、電荷発生部８６の他端の操作部８８は絶縁体８９（シリコーンゴム、合成ゴムなど）で覆われている。この実施形態は、操作部８８を指で摘み、噴射孔８５に密着している電荷発生部８６をはがすことで、剥離帯電させることができる。そのため、導電性のチップに形成された噴射孔８５には電荷が蓄積される。それにより、噴射部材８１を押し下げ、噴射操作を行うことで、噴射孔８５から噴射されるエアゾール組成物に電荷を付与することができる。また、使用しないときは噴射孔８５を被っているため、電荷発生部８６は噴射孔８５のカバーの役割も兼用している。
【図面の簡単な説明】
【図１】図１ａは本発明のエアゾール製品の実施形態を示す一部断面の側面図であり、図１ｂはその要部を拡大した側面断面図である。
【図２】図２ａは本発明のエアゾール製品の他の実施形態を示す一部断面の側面図であり、図２ｂはその要部の斜視図である。
【図３】図３ａは本発明のエアゾール製品の他の実施形態を示す一部断面の側面図であり、図３ｂは本発明のエアゾール製品の他の実施形態を示す要部の側面図である。
【図４】図４ａは本発明のエアゾール製品の他の実施形態を示す一部断面の側面図であり、図４ｂはその要部の傾斜図である。
【図５】本発明のエアゾール製品の他の実施形態を示す一部断面の側面図である。
【図６】本発明のエアゾール製品の他の実施形態を示す一部断面の側面図である。
【図７】図７ａは本発明のエアゾール製品の他の実施形態を示す一部断面の側面図であり、図７ｂはその平面図であり、図７ｃはその要部の背面図である。
【図８】本発明のエアゾール製品の他の実施形態を示す一部断面の側面図である。
【図９】本発明のエアゾール製品に用いられるエアゾールバルブの一例の側面断面図である。
【符号の説明】
１　エアゾール製品
２　容器本体
３　バルブ
４　噴射部材
５　キャップ
６　胴部
７　肩部
８　ビード
９　噴射通路
１０　電荷保持部
１０ａ　キャップ装着部
１０ｂ　粉末
１０ｃ　外表面
１０ｄ　空洞部内面
１１　ステム挿入口
１２　噴射孔
１３　舌片
２０　エアゾール製品
２１　噴射部材
２２　カバー部材
２３　噴射孔
２４　ステム挿入口
２５　噴射通路
２６　基部
２７　側壁部
２８　電荷保持部
２９　切替部
３０　エアゾール製品
３２　容器本体
３３　バルブ
３４　噴射部材
３５　電荷保持部
３６　噴射孔
３７　噴射通路
３８　ステム挿入口
３９　天面
４０　エアゾール製品
４２　容器本体
４３　バルブ
４４　噴射部材
４５　電荷保持部
４６　噴射孔
４６ａ　ステム挿入口
４６ｂ　噴射通路
４７　押部
４７ａ　ヒンジ部
４８　空洞部
４９　粉体
５０　エアゾール製品
５１　ノズル
５２　容器本体
５３　バルブ
５４　噴射部材
５５ａ　噴射通路
５５ｂ　噴射通路
５６　噴射孔
５７　移動部材
５８　係止具
６０　エアゾール製品
６１　噴射部材
６２　噴射部材本体
６２ａ　絶縁体
６３　電荷保持部
６４　噴射孔
６５　噴射通路
６６　本体
６７　移動部材
６８　係止具
６９　ヒンジ部
６９ａ　押部
７０　エアゾール製品
７１　噴射部材
７２　容器本体
７３　電荷保持部
７３ａ　収容部
７４　噴射孔
７５　橋
７６　噴射通路
７６ａ　噴射通路
７７　帯電面
８０　エアゾール製品
８１　噴射部材
８２　噴射部材本体
８３　電荷保持部
８５　噴射孔
８６　電荷発生部
８７　鍵部
８８　操作部
８９　絶縁体
Ｂ　エアゾールバルブ
Ｃ　ハウジング
Ｄ　ステム
Ｅ　バネ
Ｈ　ディップチューブ
【図１】
2004051200.tif 000003
【図２】
2004051200.tif 000004
【図３】
2004051200.tif 000005
【図４】
2004051200.tif 000006
【図５】
2004051200.tif 000007
【図６】
2004051200.tif 000008
【図７】
2004051200.tif 000009
【図８】
2004051200.tif 000010
【図９】
2004051200.tif 000011